(57)【特許請求の範囲】
【請求項１】
垂木と、
この垂木の上面に設けられ、間隔をもって互いに平行に配置された板材を有する上段側板材群と、間隔をもって互いに平行に配置された板材を有する下段側板材群とを重ねることにより格子状に形成された野地部材と、
この野地部材に積層され、少なくとも左右方向に複数枚が隣接した板状の屋根材とを備え、
上記屋根材のうち、左右方向に屋根材は、上記上段側板材群の板材の位置で隣接するよう配置され、
上記屋根材には、上記上段側板材群の各板材の間隔に合致した複数の釘孔が設けられていることを特徴とする屋根構造。
【請求項２】
垂木と、
この垂木の上面に設けられ、間隔をもって互いに平行に配置された板材を有する上段側板材群と、板状の野地パネルとを重ねることにより形成された野地部材と、
この野地部材に積層され、少なくとも左右方向に複数枚が隣接した板状の屋根材とを備え、
上記屋根材のうち、左右方向に屋根材は、上記上段側板材群の板材の位置で隣接するよう配置され、
上記屋根材には、上記上段側板材群の各板材の間隔に合致した複数の釘孔が設けられていることを特徴とする屋根構造。
【発明の詳細な説明】
【技術分野】
【０００１】
本発明は、家屋等に用いられる屋根構造に関し、特に通気効率を向上させることができるものに関する。
【背景技術】
【０００２】
家屋等の屋根等に屋根構造が用いられており、屋根構造は一般に、垂木に設けられた野地板に、野地板の傾斜方向とは直交する方向に桟木を設け、この桟木に釘等で瓦を固定することで形成されている。
【０００３】
瓦屋根の通気性及び排水性の向上を図るために、上記の桟木に例えば野地板の傾斜方向にスペーサや貫通穴等を設けることで野地板と瓦の間の空間を、空気の流通を可能とし、通気性を向上させ、さらに、雨水や結露等を排水できるように形成されているものが知られている（例えば特許文献１参照）。
【０００４】
また、家屋等の壁に壁用下地構造が用いられており、壁用下地構造は一般に、小幅板を３０〜６０度の角度で交差させた下地部材に防水シートを設け、例えばこの防水シートにラスを設けモルタルを塗着することで形成されている（例えば特許文献２参照）。
【先行技術文献】
【特許文献】
【０００５】
【特許文献１】特開２００４−１９０２１６号公報
【特許文献２】特開２００３−４１６７４号公報
【発明の概要】
【発明が解決しようとする課題】
【０００６】
上述した屋根構造では、次のような問題があった。すなわち、瓦と野地板の間の通気性や排水性等は向上されるが、野地板の下方、すなわち、垂木、母屋桁及び屋根裏等の空間の通気性や透湿性等を向上させることができない。
【０００７】
そこで本発明は、板状の屋根材を用いた場合であっても、釘孔からの雨水等の浸入を防ぎつつ、軽量化を図ることができる屋根構造を提供することを目的としている。
【課題を解決するための手段】
【０００８】
上記課題を解決し目的を達成するために、本発明の屋根構造は次のように構成されている。
【０００９】
垂木と、この垂木の上面に設けられ、間隔をもって互いに平行に配置された板材を有する上段側板材群と、間隔をもって互いに平行に配置された板材を有する下段側板材群とを重ねることにより格子状に形成された野地部材と、この野地部材に積層され、少なくとも左右方向に複数枚が隣接した板状の屋根材とを備え、上記屋根材のうち、左右方向に屋根材は、上記上段側板材群の板材の位置で隣接するよう配置され、上記屋根材には、上記上段側板材群の各板材の間隔に合致した複数の釘孔が設けられていることを特徴とする。
【００１０】
垂木と、この垂木の上面に設けられ、間隔をもって互いに平行に配置された板材を有する上段側板材群と、板状の野地パネルとを重ねることにより格子状に形成された野地部材と、  この野地部材に積層され、少なくとも左右方向に複数枚が隣接した板状の屋根材とを備え、上記屋根材のうち、左右方向に屋根材は、上記上段側板材群の板材の位置で隣接するよう配置され、上記屋根材には、上記上段側板材群の各板材の間隔に合致した複数の釘孔が設けられていることを特徴とする。
【発明の効果】
【００１１】
本発明によれば、板状の屋根材を用いた場合であっても、釘孔からの雨水等の浸入を防ぎつつ、軽量化を図ることができる屋根構造を形成することが可能となる。
【図面の簡単な説明】
【００１２】
【図１】第１の技術参考例に係る屋根構造を示す斜視図。
【図２】同屋根構造における野地部材と透湿ルーフィングを示す側面図。
【図３】同屋根構造における野地部材の組合せを示す斜視図。
【図４】同屋根構造における透湿ルーフィングの組合せを示す斜視図。
【図５】第１の技術参考例の第１の変形例に係る屋根構造の野地部材を示す側面図。
【図６】第１の技術参考例の形態の第２の変形例に係る屋根構造の野地部材を示す側面図。
【図７】第１の技術参考例の第３の変形例に係る屋根構造の野地部材を示す側面図。
【図８】同野地部材の組合せを示す側面図。
【図９】第１の技術参考例の第４の変形例に係る屋根構造を示す断面図。
【図１０】第２の技術参考例に係る壁用下地構造を模式的に示す斜視図。
【図１１】本発明の第１の実施の形態に係る屋根構造を示す平面図。
【図１２】同屋根構造を示す側面図。
【図１３】同屋根構造に用いられる屋根材を示す平面図。
【図１４】本発明の第２の実施の形態に係る屋根構造を示す平面図。
【図１５】同屋根構造を示す側面図。
【発明を実施するための形態】
【００１３】
図１は第１の技術参考例に係る屋根構造１を示す斜視図、図２は野地部材２０と透湿ルーフィング３０を示す側面図、図３は野地部材２０の組合せを示す斜視図、図４は透湿ルーフィング３０の組合せを示す斜視図である。なお、図１中Ｆ及びＧは通気の流れを示している。
【００１４】
図１及び図２に示すように、屋根構造１は、複数の垂木１０と、これら垂木１０上に渡された野地部材２０と、野地部材２０上に一定間隔を持って配置された透湿性及び防水性を有する材料で形成された透湿ルーフィング（シート）３０と、透湿ルーフィング３０上に設けられ支持部材である複数の桟木４０と、透湿ルーフィング３０上であり屋根の縁近傍に設けられた鼻桟４１と、桟木４０及び鼻桟４１に設けられ例えば釘等により固定された複数枚の瓦５０とを備えている。
【００１５】
野地部材２０は、小幅板材で形成され一定間隔で垂木１０と直交方向に設けられた複数の下板（下段側板材群）２１と、小幅板材で形成され下板２１に一定間隔で直交方向に設けられた上板（上段側板材群）２２とを組合せて格子状に形成されている。また、例えば、屋根の大きさに対し野地部材２０の大きさが足りない場合等（１つの野地部材２０では製造等に対応できない大きさや形状等）には図３に示すように、野地部材２０の端部に袖部２３を備えた野地部材２０を複数用いる。このとき、隣り合う野地部材２０の袖部２３を接触させ、接合部材２４を袖部２３接触部分の上部又は下部へ設置し、例えば釘打ち等で固定させることにより、野地部材２０を結合させる。なお、複数枚用いる場合においても、袖部２３を有さない野地板２０を用いても良い。
【００１６】
このように野地部材２０を結合させるときに、野地部材２０に設ける透湿ルーフィング３０の大きさは、図４に示すように、組合せる野地部材２０より若干大きくし、組合せ箇所（野地部材２０の袖部２３）で透湿ルーフィング３０を重ねることにより、雨水等を漏らすことなく野地部材２０を組合せることが可能となる。なお、透湿ルーフィング３０を重ねる際、透湿ルーフィング３０の高低差が高い側の透湿ルーフィング３０を上に重ねることとする。ここで、透湿ルーフィング３０は、これら透湿ルーフィング３０を組合せずに、屋根と同じ広さの１枚布形状の透湿ルーフィング３０を用いても良い。
【００１７】
桟木４０は、透湿ルーフィング３０と桟木４０との間に、桟木４０下面に空間を持たせ通気可能にするための通気板４２を有している。また鼻桟４１は、瓦５０と透湿ルーフィング３０との空間の通気及び排水を外部へと行うことが可能にするために、中空体４３を有している。
【００１８】
このように構成された屋根構造１では、透湿ルーフィング３０の上面では、透湿ルーフィング３０と瓦５０との空間は、通気板４２及び中空体４３により、矢印Ｆに示すように通気が可能となっている。更に、瓦５０から雨水等が浸入した場合でも、透湿ルーフィング３０により、野地部材２０の下方へとは雨水等は浸透せず、通気板４２及び中空体４３により外部へと雨水等は排出される。
【００１９】
また、野地部材２０では、上板２２と下板２１とで構成された空間により、矢印Ｇのように通気が可能となっている。さらに、野地部材２０の空間の湿気等も通気により外部へと排出されるか、若しくは、野地部材２０の上面の透湿ルーフィング３０により瓦５０と透湿ルーフィング３０の空間へと透過し、外部へと通気される。この通気により、野地部材２０周辺空間に湿気が篭らないため、木材等が腐りにくく耐久性を向上させることができる。
【００２０】
さらに、野地部材２０は複数結合させることで、屋根の広さに合わせることが可能となるため、様々な形状及び広さの屋根に対応できる汎用性を有する。例えば、数種類の形状の野地部材２０を工場等で製造し、現場ではこの野地部材２０を屋根の広さにあわせて結合（施工）するだけで済むため、施工工程の低減が可能となり、施工時間及び施工コストを抑えることが可能となる。
【００２１】
上述したように、本技術参考例に係る屋根構造１によれば、上板２２と下板２１とで格子状に形成した野地部材２０を野地板として用いることにより通気を行うことが可能となるため、簡単な構造で、家屋の十分な通気効率のよい屋根構造１を形成することができる。すなわち、合板を野地板として用いた場合よりも透湿抵抗を大幅に低減することができるとともに、瓦の放射熱を蓄熱させず、放出することが可能となる。
【００２２】
図５は上述した技術参考例の第１の変形例に係る屋根構造１Ａの野地部材２０Ａを示す側面図である。なお、図５において図１〜図４と同一機能部分には同一符号を付し、その詳細な説明は省略する。
【００２３】
図５に示すように、野地部材２０Ａは、上板２２と下板２１とを備え、この上板２２と下板２１との間に透湿ルーフィング３０が挟みこまれている。このため、桟木４０は直接上板２２へと設置される。したがって通気板４２は不要となる。同様に、鼻桟４１も、中空体４３を用いないで直接上板２２の上面に設置する。ただし、桟木４０及び鼻桟４１はそれぞれ通気板４２及び中空体４３を有し野地部材２０Ａに設置してもよい。
【００２４】
また、野地部材２０Ａ同士を組合せる場合は、図３、４に示すように、袖部２３を接触させ、接合部材２４を袖部２３接触部分の上部又は下部へ設置させ、上板２２と下板２１との間で、透湿ルーフィング３０を重ね合わせ、例えば釘打ち等で固定させればよい。
【００２５】
このように構成された野地部材２０Ａを用いた屋根構造１Ａでは、透湿ルーフィング３０の上面であり、透湿ルーフィング３０と瓦５０との空間は、垂木１０と同方向に一定の間隔を有して設けられている上板２２により、図１中の矢印Ｆ及びＧと同様に通気が可能となっている。更に、瓦５０から雨水等が浸入した場合でも、上板２２と透湿ルーフィング３０により外部への雨水等の排出が可能である。
【００２６】
また、野地部材２０Ａの下板２１と透湿ルーフィング３０とで構成された空間に篭る湿気は透湿ルーフィング３０により、野地部材２０Ａの上板２２の空間へと透過し、この上板２２の通気により湿気は外部へと排出される。このため、野地部材２０Ａ周辺では湿気が篭らないため、木材等が腐りにくく耐久性を得ることができる。
【００２７】
さらに、野地部材２０Ａと透湿ルーフィング３０との組立てを、例えば工場等で製造し、現場ではこの野地部材２０Ａを屋根の広さにあわせて結合（施工）するだけで済み、さらに、通気板４２及び中空体４３を必要としないので、施工時間及び施工コスト、更には材料コストを低減させることが可能となる。なお、野地部材２０Ａを結合する際には、透湿ルーフィング３０を重ね合わせ、雨水等が漏洩しないようにする。
【００２８】
上述したように、第１の変形例に係る屋根構造１Ａによれば、下板２１周辺の空間の湿気を透湿ルーフィング３０により透過させ、上板２２と瓦５０との空間にて通気を行うことが可能となるため、簡単な構造で、家屋の十分な通気が可能な屋根構造１Ａを形成することができる。
【００２９】
図６は上述した技術参考例の第２の変形例に係る屋根構造１Ｂの野地部材２０Ｂを示す側面図である。なお、図６において図１〜図５と同一機能部分には同一符号を付し、その詳細な説明は省略する。
【００３０】
図６に示すように、野地部材２０Ｂは、上板２２と下板２１とを備え、上板２２上面には透湿ルーフィング３０を、上板２２と下板２１との間には透湿性及び遮熱性を有するアルミシート３１を有している。
【００３１】
このように構成された屋根構造１Ｂでは、透湿ルーフィング３０の上面では、透湿ルーフィング３０と瓦５０との空間は、通気板４２及び中空体４３により、図１中の矢印Ｆと同様に通気が可能となっている。更に、瓦５０から雨水等が浸入した場合でも、この通気板４２、中空体４３及び透湿ルーフィング３０により外部へ雨水等の排出が可能である。
【００３２】
また、野地部材２０Ｂの下板２１とアルミシート３１とで構成された空間に篭る湿気はアルミシート３１により、野地部材２０Ｂの上板２２の空間へと透過し、この上板２２の通気（図１中矢印Ｇと同様）により湿気は外部へと排出される。このため、野地部材２０Ｂ周辺では湿気が篭らないため、木材が腐りにくく耐久性を得ることができる。また、アルミシート３１により遮熱効果を有し、且つ、アルミシート３１により野地部材２０Ｂの空間を二分するため、下板２１の空間と上板２２の空間とにおいての温度差が発生し断熱効果を有する。これら遮熱効果及び断熱効果により、外気温による室内温度の変化の影響を低減させることが可能となる。
【００３３】
さらに、野地部材２０Ｂの上面の透湿ルーフィング３０により、雨水等は野地部材２０Ｂへ浸透せず、また、野地部材２０Ｂの空間の湿気等は通気により外部へと排出されるか、透湿ルーフィング３０により、瓦５０と透湿ルーフィング３０の空間へと透過する。このため、野地部材２０Ｂ周辺では通気をとることができ、湿気が篭らないため、木材が腐りにくく耐久性を得ることができる。
【００３４】
ここで、下板２１と上板２２との間に設けているアルミシート３１を透湿ルーフィング３０としてもよい。透湿ルーフィング３０を用いることで、遮熱性能は僅かに低下するが、低コストで断熱効果を発生させることが可能となる。
【００３５】
上述したように、第２の変形例に係る屋根構造１Ｂによれば、野地部材２０Ｂの下板２１と上板２２との間にアルミシート３１を設けることにより、通気が可能であり、且つ、高い遮熱性、断熱性を有することが可能な屋根構造１Ｂを形成することができる。
【００３６】
図７は上述した技術参考例の第３の変形例に係る屋根構造１Ｃの野地部材２０Ｃを示す側面図、図８は同野地部材２０Ｃの組合せを示す側面図である。なお、図７、８において図１〜図６と同一機能部分には同一符号を付し、その詳細な説明は省略する。
【００３７】
図７に示すように、野地部材２０Ｃは、上板２２と下板２１とを備え、下板２１下面には透湿性及び遮熱性を有するアルミシート３１を有している。このため、桟木４０は直接上板２２へと設置される。したがって通気板４２は不要となる。同様に、鼻桟４１も、中空体４３を用いないで直接上板２２の上面に設置する。ただし、桟木４０及び鼻桟４１はそれぞれ通気板４２及び中空体４３を有し野地部材２０Ｃに設置してもよい。
【００３８】
また、野地部材２０Ｃ同士を組合せる場合は、図８に示すように、袖部２３同士を隣合わせ、これらの間にアルミシート３１を挟み、どちらか一方の野地部材２０Ｃの下板２１上面で重ね合わせ、その上に接合部材２４を例えば釘打ち等で固定させればよい。
【００３９】
このように構成された屋根構造１Ｃでは、アルミシート３１の上面では、アルミシート３１と瓦５０との空間は、下板２１と上板２２とにより図１中の矢印Ｆ、Ｇと同様に通気が可能となっている。更に、瓦５０から雨水等が浸入した場合でも、アルミシート３１へと雨水等が移動し、下板２１とアルミシート３１との間には施工時に発生する隙間があるため、この隙間から雨水等の排出が可能である。なお、雨水等の排水効率を上げるために下板２１に溝を切ったり、下板２１とアルミシート３１との間に隙間を設けるための板材を配置してもよい。
【００４０】
また、垂木１０とアルミシート３１とで構成された空間に篭る湿気はアルミシート３１により、野地部材２０Ｃの空間へと透過し、下板２１と上板２２の通気（図１中矢印Ｆ、Ｇと同様）により湿気は外部へと排出される。このため、垂木周辺では湿気が篭らないため、木材が腐りにくく耐久性を得ることができる。また、アルミシート３１により遮熱効果を有する。この遮熱効果により、外気温による室内温度の変化の影響を低減させることが可能となる。
【００４１】
さらにまた、瓦５０同士を釘打ちにより緊結する際には、本変形例のようにアルミシート３１を下板２１下面に設けることにより、釘等の打ち付けを行っても接合部材２４と下板２１とに打ち付けられるだけであり、アルミシート３１に釘等が到達しない。アルミシート３１はその性質上、釘等を打ち付けると、釘打付箇所から雨水等が漏洩してしまう可能性がある。そのため、アルミシート３１まで釘が貫通する場合には何らかの対処を行わなければならないが、本変形例では対処が必要ないため施工コストの低減となる。
【００４２】
さらに、施工時において、アルミシート３１を敷設後、瓦を設置する際、太陽光等がアルミシート３１を反射し、この反射光により作業性が著しく低下してしまうが、本変形例のように、アルミシート３１上に格子状の野地部材２０Ｃを設置することにより、反射光が低減され、作業性の向上が可能となる。
【００４３】
上述したように、第３の変形例に係る屋根構造１Ｃによれば、野地部材２０Ｃの下板２１下面にアルミシート３１を設けることにより、通気が可能であり、且つ、高い遮熱性、を有することが可能な屋根構造１Ｃを形成することができる。
【００４４】
なお、透湿ルーフィング３０及びアルミシート３１の設置位置は、上記の位置に限られるものではなく、上板２２上面、上板２２と下板２１との間、下板２１のうちいずれか２箇所に配置されるものであればよい。
【００４５】
図９は上述した技術参考例の第４の変形例に係る屋根構造１Ｄを示す断面図である。なお、図９において図１〜図８と同一機能部分には同一符号を付し、その詳細な説明は省略する。なお、図９中二点鎖線Ｐ及びＱは通気の流れを示している。また、図９中１００は家屋、１１０は雨樋、１２０は野地部材２０Ａからの雨水を雨樋１１０に案内する水切り部材を示している。
【００４６】
図９に示すように、屋根構造１Ｄは、垂木１０と、垂木１０上に渡された野地部材２０Ａと、野地部材２０Ａ上に配置された透湿ルーフィング（シート）３０と、野地部材２０Ａ上に設けられ支持部材である複数の桟木４０と、野地部材２０Ａ上であり屋根の縁近傍に設けられた鼻桟４１と、桟木４０及び鼻桟４１に設けられ例えば釘等により固定された複数枚の瓦５０とを備えている。
【００４７】
垂木１０の上面の下端であって、垂木１０と透湿ルーフィング３０の間に配置された位置に通気部材１３０が配置されている。通気部材１３０は、垂木１０と上板２２の下端との間に設けられ、外部と、上記野地部材２０Ａと瓦５０との間、及び、垂木１０の下方である家屋１００の内部、すなわち小屋裏との換気を行う機能を有している。
【００４８】
なお、通気部材１３０を配置するため、野地部材２０Ａの通気部材１３０に対応する位置には、下板２１は配置されておらず、透湿ルーフィング３０が上板２２と通気部材１３０とに挟まれている。
【００４９】
このように構成された屋根構造１Ｄでは、透湿ルーフィング３０の上面の空間は、上板２２同士の間隙を介して、二点鎖線Ｐに示すように通気が可能となっている。一方、透湿ルーフィング３０の下面の空間は、通気部材１３０を介して垂木１０同士の間隙を介して二点鎖線Ｑに示すように小屋裏への通気が可能となっている。
【００５０】
これらの通気により、野地部材２０Ａ及び小屋裏の空間に湿気が篭らないため、木材等が腐りにくく耐久性を向上させることができる。
【００５１】
上述したように、技術参考例に係る屋根構造１Ｄによれば、上板２２と下板２１とで格子状に形成した野地部材２０を野地板として用いることにより通気を行うことが可能となるとともに、小屋裏へも簡単な構造で通気を行うことができる。
【００５２】
図１０は第２の技術参考例に係る壁用下地構造２を示す斜視図である。なお、図１０において図１と同一機能部分には同一符号を付し、その詳細な説明は省略する。また、図１０中Ｈは通気の流れを示している。
【００５３】
図１０に示すように、壁用下地構造２は、複数の柱１１と、これら柱１１の側面に設けられ、例えば小幅板材で形成された複数の下板（第１板材群）２１、及び下板２１に直交し小幅板材で形成された上板（第２板材群）２２を組合せて格子状に形成された下地部材２０と、下板２１と上板２２との間に挟み込まれ、透湿性及び遮熱性を有するアルミシート３１と、上板２２側面であり、アルミシート３１設置面と対向した面に設けられたラス４４と、ラス４４に設けられ例えばコンクリート等で形成された外装材５１とを備えている。
【００５４】
下地部材２０は、柱１１に直交する下板２１及び下板２１に直交する上板２２により格子状に形成されている。また、下地部材２０は、柱１１間にそれぞれ備えてもよいが、例えば図３に示すような下地部材２０の端部に袖部２３を備えた下地部材２０を複数用いることにより、下地部材２０を組合せて１枚の下地部材２０を形成してもよい。
【００５５】
このように構成された壁用下地構造２では、アルミシート３１に設けられた上板２２により、上板２２と隣り合う上板２２との間に通気路（空間）ができるため、通気が可能となる。さらに、万一雨水等が侵入したとしても、上板２２と隣り合う上板２２との間にできる通気路により排水することができる。
【００５６】
また、遮熱性のアルミシート３１を使用することにより、アルミシート３１による遮熱性が向上する。この遮熱効果により、壁面において外気温による室内温度の変化の影響を低減させることが可能となる。
【００５７】
さらに、アルミシート３１と下板２１とで構成された空間に篭る湿気はアルミシート３１により、下地部材２０の上板２２の空間へと透過し、この上板２２の通気（矢印Ｈのように）により湿気は外部へと排出される。このため、下地部材２０周辺では湿気が篭らないため、木材が腐りにくく耐久性を得ることができる。
【００５８】
上述したように、本技術参考例に係る壁用下地構造２によれば、下板２１と上板２２との間にアルミシート３１を設けることで、下板２１周辺の空間の湿気をアルミシート３１により透過させ、通気を行うことが可能となり、且つ、高い遮熱性を有することが可能な壁用下地構造２を形成することができる。
【００５９】
ここで、下板２１側面でありアルミシート３１設置面と対向した面又は上板２２でありアルミシート３１設置面と対向した面に、例えば透湿ルーフィング３０等を設けてもよい。透湿ルーフィングを設けることにより、断熱性を有することが可能となる。
【００６０】
図１１は、本発明の第１の実施の形態に係る屋根構造６０を示す平面図、図１２は同屋根構造を示す側面図、図１３は同屋根構造６０に用いられるスレート瓦７０を示す平面図である。なお、これらの図において図１〜図３と同一機能部分には同一符号を付し、その詳細な説明は省略する。
【００６１】
屋根構造６０は、複数の垂木１０と、これら垂木１０上に渡された野地部材２０と、野地部材２０上に所定の間隔で配置されたスレート瓦７０とを備えている。スレート瓦７０は、左右方向には重ならないように並べられ、また、下側のスレート瓦７０の上半分に上側のスレート瓦７０が載るように配置され、かつ、その位置が幅方向の半分だけずれるように千鳥状に配置されている。
【００６２】
本実施の形態に係る野地部材２０では、幅６０ｍｍの上板２２が７枚、下板２１が６枚組み合せられている。また、上板２２の間隔は、一方側から他方側にかけて６０ｍｍ、９５ｍｍ、９０ｍｍ、９０ｍｍ、９５ｍｍ、６０ｍｍに設定されている。
【００６３】
スレート瓦７０の瓦本体７１は、図１３に示すような幅９１０ｍｍ、高さ３３２ｍｍの一般的なものであるが、瓦本体７１に設けられた釘孔７２が上板２２の間隔に合致するように配置されている。すなわち、幅方向一方側の端面から１５０ｍｍ、１５５ｍｍ及び他方側の端面から１５０ｍｍ、１５５ｍｍの合計４箇所に設定されている。
【００６４】
この釘孔７２に釘（不図示）を通すことにより、上板２２にスレート瓦７０が固定される。
【００６５】
このように構成された屋根構造６０では、上板２２の位置に合せてスレート瓦７０の釘孔７２が設けられているため、スレート瓦７０を確実に野地部材２０に取り付けることができる。このため、スレート瓦７０を用いた場合でも、釘孔７２からの雨水等の浸入を防ぎつつ、屋根構造自体の軽量化を図ることができる。
【００６６】
また、野地部材２０が上板２２と下板２１とで格子状に形成されているため、簡単な構造で、家屋の十分な通気効率のよい屋根構造６０を形成することができる。すなわち、合板を野地板として用いた場合よりも透湿抵抗を大幅に低減することができるとともに、瓦の放射熱を蓄熱させず、放出することが可能となる。
【００６７】
図１４は、本発明の第２の実施の形態に係る屋根構造８０を示す平面図、図１５は同屋根構造８０を示す側面図である。なお、これらの図において図１１及び図１２と同一機能部分には同一符号を付し、その詳細な説明は省略する。また、図中の数値は寸法（単位ｍｍ）である。
【００６８】
屋根構造８０は、複数の垂木１０と、これら垂木１０上に渡された野地部材９０と、野地部材９０上に所定の間隔で配置されたスレート瓦７０とを備えている。スレート瓦７０は、左右方向には重ならないように並べられ、また、下側のスレート瓦７０の上半分に上側のスレート瓦７０が載るように配置され、かつ、その位置が幅方向の半分だけずれるように千鳥状に配置されている。
【００６９】
本実施の形態に係る野地部材９０は、野地パネル９１と、この野地パネル９１上に設けられるとともに、幅６０ｍｍの小幅板材で形成され、垂木１０と平行に配置された上板（上段側板材群）９２とを組合せて形成されている。上板９２の間隔は、一定間隔に設定されている。
【００７０】
スレート瓦７０の瓦本体７１には、釘孔７２が上板９２の間隔に合致するように配置されている。すなわち、幅方向一方側の端面から１５０ｍｍ、１５５ｍｍ及び他方側の端面から１５０ｍｍ、１５５ｍｍの合計４箇所に設定されている。
【００７１】
この釘孔７２に釘（不図示）を通すことにより、上板９２にスレート瓦７０が固定される。
【００７２】
このように構成された屋根構造８０では、上板９２の位置に合せてスレート瓦７０の釘孔７２が設けられているため、スレート瓦７０を確実に野地部材２０に取り付けることができる。このため、スレート瓦７０を用いた場合でも、釘孔７２からの雨水等の浸入を防ぐことができる。
【００７３】
なお、本発明は上記実施の形態に限定されるものではない。例えば、上述した例では、透湿ルーフィングを用いるよう説明したが、これを透湿性及び遮熱性を有するアルミシートを用いても適用できる。これにより高い遮熱性を有することが可能となる。また、アルミシート３１を下板２１と上板２２との間に設ける場合には、施工時において、アルミシート３１を敷設後、瓦を設置する際、太陽光等がアルミシート３１を反射し、この反射光により作業性が著しく低下してしまうが、本変形例のように、アルミシート３１上に格子状の野地部材２０Ｃを設置することにより、反射光が低減され、作業性の向上が可能となる。ただし、上述にもあるように、アルミシートは施工時に、釘等により雨水等が漏洩してしまうため防水性を保持しないため、釘打ち箇所に例えばゴムシートや樹脂シート等を敷くことで雨水等の漏洩を防止（すなわち防水性を有する）するための施工を行えばよい。
【００７４】
また、野地部材の結合に接合部材を使用すると説明したが、接合部材を野地部材に設けておいても適用でき、または、野地部材を隣り合わせるだけでも、野地部材を固定し、防水性をきちんと有することで適用できる。これらの他にも、下地部材（野地部材）に用いる下板及び上板の交差の角度は直交（９０度）でなくても適用できる。この他、本発明の要旨を逸脱しない範囲で種々変形実施可能であるのは勿論である。
【符号の説明】
【００７５】
１,６０，８０…屋根構造、１０…垂木、２０，９０…野地部材、２１…下板、２２，９２…上板、３０…透湿ルーフィング、４０…桟木、４１…鼻桟、４２…通気板、４３…中空体、５０…瓦、７０…スレート瓦、Ｆ、Ｇ…通気の流れ。
【図１】
0005751717.tif 000002
【図２】
0005751717.tif 000003
【図３】
0005751717.tif 000004
【図４】
0005751717.tif 000005
【図５】
0005751717.tif 000006
【図６】
0005751717.tif 000007
【図７】
0005751717.tif 000008
【図８】
0005751717.tif 000009
【図９】
0005751717.tif 000010
【図１０】
0005751717.tif 000011
【図１１】
0005751717.tif 000012
【図１２】
0005751717.tif 000013
【図１３】
0005751717.tif 000014
【図１４】
0005751717.tif 000015
【図１５】
0005751717.tif 000016